(57)【要約】【課題】ドアに固定することなく、ドア枠及びドアからなるドアユニット着脱自在で、多様なハンドル形状に適用できる汎用性があるハンドルロック装置を提供する。【解決手段】ドア枠及びドアからなるドアユニットに着脱可能に取り付けられるハンドルロック装置であって、前記ドアのハンドルに触れる接触部と、前記接触部に接続して設けられ、前記ドア枠に接触する当接部とからなり、前記接触部と当接部の形状に依拠して、前記ハンドルの回動を阻止して、前記ドアの開放を規制することを特徴とするハンドルロック装置の構成とした。【選択図】図７
2018071276.tif 000002
【特許請求の範囲】
【請求項１】
ドア枠及びドアからなるドアユニットに着脱可能に取り付けられるハンドルロック装置であって、
前記ドアのハンドルに触れる接触部と、
前記接触部に接続して設けられ、前記ドア枠に接触する当接部とからなり、
前記接触部と当接部の形状に依拠して、前記ハンドルの回動を阻止して、前記ドアの開放を規制することを特徴とするハンドルロック装置。
【請求項２】
ドア枠及びドアからなるドアユニットに着脱可能に取り付けられるハンドルロック装置であって、
前記ドアのハンドルに触れる接触部と、
前記接触部に接続するあて木と、前記あて木に備えられ、前記ドア枠とドアの隙間に挿抜可能な爪とからなり、
前記接触部と当接部の形状に依拠して、前記ハンドルの回動を阻止して、前記ドアの開放を規制することを特徴とするハンドルロック装置。
【請求項３】
前記ハンドルがＬ形状で、前記当接部を、前記接触部に所定の角度で接続する当接部としたことを特徴とする請求項１又は請求項２に記載のハンドルロック装置。
【請求項４】
前記接触部を、前記ハンドルを挟む又は包む挟持部としたことを特徴とする請求項３に記載のハンドルロック装置。
【請求項５】
前記挟持部の対向する第一、第二面に、それぞれ穿設された第一、第二スリットを備え、前記第一、第二スリットにクサビを挿通させ、前記クサビで、前記ハンドルを前記挟持部に押し当てて、前記挟持部を前記ハンドルに着脱可能に固定することを特徴とする請求項４に記載のハンドルロック装置。
【請求項６】
前記クサビの先端に穴が穿設され、前記穴に錠を掛け、前記クサビの第一、第スリットからの抜けを制限するとともに、前記挟持部を前記ハンドルへ固定したことを特徴とする請求項５に記載のハンドルロック装置。
【請求項７】
ドア枠及びドアからなるドアユニットに着脱可能に取り付けられるハンドルロック装置であって、
前記ドアの筒状のノブを挟む挟持部と、前記挟持部と前記ノブとの間に介在するクッションと、前記挟持部に接続して設けられ、前記ドア枠に接触する当接部とからなり、
前記挟持部と当接部の形状に依拠して、前記ハンドルの回動を阻止して、前記ドアの開放を規制することを特徴とするハンドルロック装置。
【発明の詳細な説明】
【技術分野】
【０００１】
本発明は、ドアのハンドルの回動を阻止する、ハンドルロック装置に関する。
【背景技術】
【０００２】
ドアのハンドルとは、ドアの開閉時に手で握り回動させる部品で、ドアに取り付けられた棒状のレバー（図１４）、円形のノブなどであり、取っ手などとも呼ばれる、ドアの開閉を制御するドアユニット３１の構成要素である。
【０００３】
図１４に示すように、ドアユニット３１は、壁２１に嵌められたドア枠３２と、ドア枠３２に蝶番３１ｂで開閉可能に取り付けたドア３４と、ハンドルの動作でドア開閉を制御するハンドルユニット３５からなる。
【０００４】
ドア枠３２には、ハンドルで操作されるハンドルユニット３５内から出し入れするラッチ３５ａが挿抜されるストライク３３が埋設される。ドア枠３２の室内側には、内枠３２ａとドア３４との間に隙間３１ａが形成されている。
【０００５】
ドア枠３２、ドア３４ともに、一般に、室内外で構造が若干異なる。例示のドア枠３２の室内側に枠（内枠３２ａ）は、ドア３４より少し突出している。突出していないケースもある。他方、室外側の枠（外枠３２ｂ）は壁の厚さ分突出している。また、ドア３４の逆開きを防止するため、制止位置にストッパ３２ｃが突出している。ドアの形態によっては、内外枠の何れか一方、或いは両方ともにドアより枠が突出していないケースもある（観音開きドアなど）。
【０００６】
また、ここに示す、ドア３４の室内側の内面３４ａ、室外側の外面３４ｃには、それぞれ、ドア３４の縁部より一段低く（薄く）なった窪み３４ｂ、３４ｄを備える。他方、ドアの内外面には、平坦なものから複雑な立体的模様が造形されたものなど種々の形状がある。
【０００７】
ハンドルユニット３５は、ドア３４の開閉に際して手で握られたうえで、回動させられる、ドア３４の（Ａ）室内側、（Ｂ）室外側に、それぞれ内外ハンドル３５ｃ、３５ｄと、内外ハンドル３５ｃ、３５ｄの回動でストライク３３に挿抜されるラッチ３５ａと、それら作用を連動させるギアなど一連のメカニカルが収納されるケース３５ｂとからなる。
【０００８】
すなわち、内外ハンドル３５ｃ、３５ｄの回動は、ドア枠３２に埋め込まれているストライク３３へのラッチ３５ａの挿抜を制御する。ラッチ３５ａがストライク３３内に差し込まれている間ドア３４は開かず、閉止が維持される。他方、ドア３４を開く場合に内外ハンドル３５ｃ、３５ｄの何れかを回動させてラッチ３５ａをストライク３３から抜き、ドア３４を押す、又は引いて回動させる。
【０００９】
ドア３４には、ラッチ３５ａの他に、デッドボルト式等の内カギ又は外カギの一方、或いは両方を備えるものもある。しかし、自宅、賃貸アパート或いはマンションのドアは、内カギ又は外カギの一方、或いは両方も備えないドアが多々ある。
【００１０】
ドアにカギを備えない場合、児童が部屋から出て階段から転落すること、仕事部屋に勝手に入り込み、重要な書類を破損させることなどがある。また、室内のみの内カギの場合、来客が勝手に、或いは誤ってプライベート空間、非開放の部屋に入り込むこともある。そのようなことを回避するため、ドア設置後、カギを備えないドアに施錠装置を取り付けることが望まれることがある。
【００１１】
そのような後付け施錠装置として、特許文献１、２の装置などが公開されている。特許文献１の発明は、扉の開閉操作のために設けられた操作部材の操作を規制する錠装置であって、扉面１９からレバー軸２１が回転自在となって垂直に突出しレバー軸２１に垂直なレバー把手部３１が回転して扉２３を解錠可能とするレバーハンドル１３と、レバー把手部３１の把手先端部３５を包囲するように外側から挿入されレバー把手部３１の回転操作を阻止する枠状規制部材１５と、レバー軸２１に垂直な方向の支持軸３７を有して扉２３に固定され枠状規制部材１５の一辺部を支持軸３７にて回転自在に支持する枠部材支持体１７とを設けてなる。
【００１２】
このような装置は、部品をドアにネジなどで固定しなければならない。ドアにネジ留めすることは見栄えが悪く、まして賃貸においては自由にドアへのネジ留めはできない。また、それら従来技術は、レバー形状のハンドルに限定されるものであるし、また、レバーの大きさ厚みは多種多様で、それら従来技術では汎用性がない。また、ドアの内外側で構造が異なるため、ドアの内外面併用できる構造が望まれるが、そのような装置は知られていない。特許文献２も同様な後付装置であり、同様の問題がある。
【先行技術文献】
【特許文献】
【００１３】
【特許文献１】特開２０１２−２１９５６２号公報
【特許文献２】特開２０１２−１６７４４７号公報
【発明の概要】
【発明が解決しようとする課題】
【００１４】
そこで、本発明は、ドアに固定することなく、ドア枠及びドアからなるドアユニットに着脱自在で、多様なハンドル形状に適用できる汎用性があり、さらにドアの内側、外側のいずれにも使用でき、加えて錠を掛けることができるハンドルロック装置を提供することを目的とする。
【課題を解決するための手段】
【００１５】
本発明は、上記課題を解決するために、
（１）
ドア枠及びドアからなるドアユニットに着脱可能に取り付けられるハンドルロック装置であって、
前記ドアのハンドルに触れる接触部と、
前記接触部に接続して設けられ、前記ドア枠に接触する当接部とからなり、
前記接触部と当接部の形状に依拠して、前記ハンドルの回動を阻止して、前記ドアの開放を規制することを特徴とするハンドルロック装置。
（２）
ドア枠及びドアからなるドアユニットに着脱可能に取り付けられるハンドルロック装置であって、
前記ドアのハンドルに触れる接触部と、
前記接触部に接続するあて木と、前記あて木に備えられ、前記ドア枠とドアの隙間に挿抜可能な爪とからなり、
前記接触部と当接部の形状に依拠して、前記ハンドルの回動を阻止して、前記ドアの開放を規制することを特徴とするハンドルロック装置。
（３）
前記ハンドルがＬ形状で、前記当接部を、前記接触部に所定の角度で接続する当接部としたことを特徴とする（１）又は（２）に記載のハンドルロック装置。
（４）
前記接触部を、前記ハンドルを挟む又は包む挟持部としたことを特徴とする（３）に記載のハンドルロック装置。
（５）
前記挟持部の対向する第一、第二面に、それぞれ穿設された第一、第二スリットを備え、前記第一、第二スリットにクサビを挿通させ、前記クサビで、前記ハンドルを前記挟持部に押し当てて、前記挟持部を前記ハンドルに着脱可能に固定することを特徴とする（４）に記載のハンドルロック装置。
（６）
前記クサビの先端に穴が穿設され、前記穴に錠を掛け、前記クサビの第一、第スリットからの抜けを制限するとともに、前記挟持部を前記ハンドルへ固定したことを特徴とする（５）に記載のハンドルロック装置。
（７）
ドア枠及びドアからなるドアユニットに着脱可能に取り付けられるハンドルロック装置であって、
前記ドアの筒状のノブを挟む挟持部と、前記挟持部と前記ノブとの間に介在するクッションと、前記挟持部に接続して設けられ、前記ドア枠に接触する当接部とからなり、前記挟持部と当接部の形状に依拠して、前記ハンドルの回動を阻止して、前記ドアの開放を規制することを特徴とするハンドルロック装置。
の構成とした。
【００１６】
さらに、詳しくは、本発明は、
（１）
ドア枠及びドアからなるドアユニットに着脱可能に取り付けられるハンドルロック装置であって、
前記ドアのハンドルに触れる接触部と、
前記接触部に接続して設けられ、前記ドア枠に接触する当接部とからなり、
前記接触部と当接部の形状に依拠して、前記ハンドルの回動を阻止して、前記ドアの開放を規制することを特徴とするハンドルロック装置。
（２）
ドア枠及びドアからなるドアユニットに着脱可能に取り付けられるハンドルロック装置であって、
前記ドアのハンドルに触れる接触部と、
前記接触部に接続するあて木と、前記あて木に備えられ、前記ドア枠とドアの隙間に挿抜可能な爪とからなり、
前記接触部と当接部の形状に依拠して、前記ハンドルの回動を阻止して、前記ドアの開放を規制することを特徴とするハンドルロック装置。
（３）
前記爪を、前記あて木に回動可能に取り付けられたプレートの一方の辺から突出した爪とし、前記ドアとドア枠の隙間に挿入又はドア枠に当接させることを特徴とする（２）に記載のハンドルロック装置。
（４）
前記ハンドルがＬ形状で、前記当接部を、前記接触部に所定の角度で接続する当接部としたことを特徴とする（１）〜（３）の何れかに記載のハンドルロック装置。
（５）
前記接触部を、前記ハンドルを挟む又は包む挟持部としたことを特徴とする（４）に記載のハンドルロック装置。
（６）
前記挟持部が、断面コの字型で、前記ドア枠への当接側の側面も封止されていることを特徴とする（４）に記載のハンドルロック装置。
（７）
前記接触部を、前記ハンドルを挟む挟持部としたうえで、
前記あて木が前記側面から垂下した板であり、前記あて木の上部と前記挟持部の左右に渡された第一、第二補強板を備えることを特徴とする（２）に記載のハンドルロック装置。
（８）
前記挟持部の内部に、前記ハンドルを挟持位置にクッションを備えることを特徴とする（５）に記載のハンドルロック装置。
（９）
前記コの字型挟持部の端部四隅に突出した前後脚を備え、前記前後脚の端部に保護材を備えることを特徴とする（６）に記載のハンドルロック装置。
（１０）
前記保護材の厚みで、前記挟持部とドア面との距離を調節することを特徴とする（９）に記載のハンドルロック装置。
（１１）
前記コの字型挟持部の対向する第一、第二面に、それぞれ穿設された第一、第二スリットを備え、前記第一、第二スリットにクサビを挿通させ、前記クサビで、前記ハンドルを前記コの字型挟持部に押し当てて、前記挟持部を前記ハンドルに着脱可能に固定することを特徴とする（６）に記載のハンドルロック装置。
（１２）
前記クサビの先端に穴が穿設され、前記穴に錠を掛け、前記クサビの第一、第スリットからの抜けを制限するとともに、前記挟持部を前記ハンドルへ固定したことを特徴とする（１１）に記載のハンドルロック装置。
（１３）
ドア枠及びドアからなるドアユニットに着脱可能に取り付けられるハンドルロック装置であって、
前記ドアの筒状のノブを挟む挟持部と、前記挟持部と前記ノブとの間に介在するクッションと、前記挟持部に接続して設けられ、前記ドア枠に接触する当接部とからなり、前記挟持部と当接部の形状に依拠して、前記ハンドルの回動を阻止して、前記ドアの開放を規制することを特徴とするハンドルロック装置。
（１４）
前記挟持部に螺合するネジの螺合で、前記クッションを前記ノブに押し当てて、前記ノブを挟持部で挟むことを特徴とする（１３）に記載のハンドルロック装置。
の構成とした。
【発明の効果】
【００１７】
本発明は以上の構成であるから以下の効果を有する。ドアにネジ留めなどで固定することなく、ハンドル、或いはハンドルを含むドア枠及びドアからなるドアユニットに着脱自在で、多様なハンドル形状に適用できる汎用性があり、さらにドアの内側、外側のいずれにも使用でき、加えて錠を掛けることができるハンドルロック装置を提供することができる。
【図面の簡単な説明】
【００１８】
【図１】本発明の一例であるハンドルロック装置の前方側斜視写真である。
【図２】本発明の一例であるハンドルロック装置の後方側前方斜視写真である。
【図３】本発明の一例であるハンドルロック装置の後方側内面視斜視写真である。
【図４】本発明の一例であるハンドルロック装置の前方側内面視斜視写真である。
【図５】本発明の一例であるハンドルロック装置の回転爪を回転させたときの前方側内面視斜視写真である。
【図６】本発明の一例であるハンドルロック装置の使用状態を示す写真である。取り付け先である（Ａ）ハンドル正面視、（Ｂ）ハンドル平面視、（Ｃ）本発明を室内側の内ハンドルに装着したときの平面視写真である。
【図７】図６の状態を異なる視点で撮影した写真である。（Ａ）は上前方斜視、（Ｂ）は上後方斜視写真である。
【図８】図６の状態を異なる視点で撮影した写真である。（Ａ）は下前方斜視、（Ｂ）は下後方斜視写真である。
【図９】図６のＡ−Ａ矢視部分断面模式図である。
【図１０】本発明であるハンドルロック装置の使用状態を示す写真である。取り付け先である（Ａ）ハンドル正面視、（Ｂ）ハンドル平面視、（Ｃ）本発明を室外側の外ハンドルに装着したときの平面視写真である。
【図１１】図１０の状態を異なる視点で撮影した写真である。（Ａ）は上前方斜視、（Ｂ）は上後方斜視写真である。
【図１２】図１０の状態を異なる視点で撮影した写真である。（Ａ）は下前方斜視、（Ｂ）は下後方斜視写真である。
【図１３】図１０のＢ−Ｂ矢視部分断面模式図である。
【図１４】ドアの構造の説明写真である。（Ａ）は室内側、（Ｂ）は室外側からの撮影写真である。
【図１５】本発明であるハンドルロック装置の他の実施例（Ａ）〜（Ｃ）についての説明図である。
【発明を実施するための形態】
【００１９】
以下、添付の図面を参照し、本発明の実施の形態について詳細に説明する。なお、本発明は下記実施例に限定されるものではない。
【実施例１】
【００２０】
図１〜図５に示すように、本発明の一例であるハンドルロック装置１は、挟持部２と、当接部３と、クサビ１１と、錠１２とからなる。
【００２１】
挟持部２は、本体２ｒと、側面２ｆと、前クッション２ｐ、２ｐ及び後クッション２ｑとかなる。
【００２２】
本体２ｒは、第一面２ａと正面２ｃと第二面２ｄとからなり、断面コの字型で、ハンドルロック装置１をドアに装着する際、内部スペース２ｎにハンドルを収納する。第一面２ａと第二面２ｄには、対向する位置に、第一スリット２ｂ及び第二スリット２ｅが穿設され、後述のクサビ１１の挿通穴となる。
【００２３】
本体２ｒの第一面２ａと第二面２ｄには、前脚２ｇ、２ｇ及び後脚２ｈ、２ｈを備え、当接部３と前脚２ｇ間に第一切欠２ｉを、前脚２ｇと後脚２ｈの間に第二切欠２ｋを形成する。第一、第二切欠２ｉ、２ｋは、ドア構造、装飾、ハンドルユニットなどの凹凸を回避する空間となり、それら空間により、ハンドルロック装置１を多様な形状のドアに、見栄えもよく、確実に装着するよることができるようにする。
【００２４】
前脚２ｇ及び後脚２ｈの端部には、衝撃緩衝素材などの保護材２ｍを備える。保護材２ｍは、前後脚２ｇ、２ｈによってドアを傷つけることを防止するとともに、保護材２ｍの厚みを調節することで、挟持部２とドア面との距離を調節し、ハンドルロック装置１がドア面に対して、ブレ、傾斜して装着されることを防止、改善する。
【００２５】
側面２ｆは、本体２ｒのドア枠に当接する側を封止し、収納したハンドルの抜けを阻止する。前クッション２ｐ、２ｐ及び後クッション２ｑは、第一面２ａと第二面２ｄの内面に貼付され、収納された多種多様な形状のハンドルをホールドし、またハンドルを傷から保護する。
【００２６】
当接部３は、側面２ｆ端部より本体２ｒ長手方向に直交して垂下した本体２ｒより幅広の板であるあて木４と、あて木４のドア枠方向に回動可能に取り付けた回転爪５と、あて木４の上部と挟持部２の本体２ｒの第一、第二面２ａ、２ｄに、ドア面と略水平になるよう、渡された第一補強板４ａ、第二補強板４ｂを備える。
【００２７】
ハンドルの回動を阻止するため、挟持部はハンドルを挟持すればよく、当接部はドア枠に当接してハンドルを保持する本体によりハンドルの回動を阻止すればよく、それらの形状はここで例示したＴ字型に限定されるものではない。
【００２８】
回転爪５を備えることなく、ドア枠に十分な凸部を有するのであれば、あて木４をドア枠に当接させてもよい。あて木４の端部には、ドア面に当接することから、ドア面を傷から防ぐためにビロード生地などの保護材４ｃを貼付してある。
【００２９】
第一補強板４ａ及び第二補強板４ｂは、あて木４に掛かる負荷を分散して受けて、あて木４の強度を高め、破損を防止するために用いている。補強板の形状は、例えば、ハンドルの回転方向が一方であれば、その回転を阻止する一方側に設けるだけでよい。
【００３０】
回転爪５は、あて木４に回動可能に取り付けられたプレート５ａと、プレート５ａの両端から突出した爪５ｂとからなる。プレート５ａに穴を穿設し、穴にネジ５ｃを通し、ネジ５ｃをあて木４に螺合させることで、回転爪５を回動可能に取り付けることができる。
【００３１】
爪５ｂは、ドア枠に当接できる凸部が十分にないときで、ドアとドア枠の隙間がある場合に、回転爪５を回転（図５円矢印）させ、あて木４より爪５ｂを突出させて（図５）、爪５ｂをドアとドア枠の隙間に挿入して、挟持部２と当接部３の形状に依拠して、ハンドルの回動を阻止し、ドアの開放を規制する。また、回転爪５のドア枠への当接面側には、傷付き防止のため、保護材５ｄを貼付するとよい。ドアとドア枠との隙間が狭い場合には、保護材５ｄを用いない。また、爪５ｂには、ハンドルを回動させようとする大きな力が負荷されることから、強度が必要で、ステンレス、鉄などの金属、強化プラスチックなどの素材で回転爪５を製造することが望ましい。
【００３２】
回転爪５を備えることで、ドア枠及びドア面の構造が異なるドアの内側及び外側の両方のハンドルを固定して、ドアのいずれからでも施錠するが可能になる。
【００３３】
クサビ１１は、挟持部２でハンドルを挟持した後、コの字型本体２ｒの対向する第一面２ａ、第二面２ｄに穿設された第一スリット２ｂ、第二スリット２ｅに挿通し、ハンドルをコの字型挟持部２に押し当てて、ハンドルロック装置１をハンドル及びドア枠の間に着脱可能に固定する。本体は、コの字型の他、ハンドルを内部に収納する筒なども採用でき、ハンドルを挟持する他、ハンドルを包む方式なども採用できる。
【００３４】
クサビ１１の形状としては、例えば、図１に示すように、第一スリット２ｂ及び第二スリット２ｅの幅と同定度の幅の上部１１ａと、錠１２を固定する穴１１ｄが複数穿設された上部１１ａより細身の下部１１ｂとを備え、上部１１ａと下部１１ｂは、一方の辺は直線上に位置し、他方は斜めの斜辺１１ｃを形成して連設される。上部１１ａの上部には、第一スリット２ｂ及び第二スリット２ｅの幅より幅広になる凸部１１ｅを設けてある。凸部１１ｅは第一スリット２ｂ及び第二スリット２ｅに係止され、第一スリット２ｂ及び第二スリット２ｅからクサビ１１が脱落することを防ぐ。
【００３５】
クサビ１１を第一スリット２ｂ及び第二スリット２ｅに差し込むことで、斜辺１１ｃがハンドルを正面２ｃに押し当てて（図９）ハンドルロック装置１がハンドルにホールドされる。クサビ１１は上下を逆転して挿入しても使用可能である。本体２ｒの上側に錠１２が位置して、施錠、解除操作がし易くなる利点がある。斜辺１１ｃを備えることで、ハンドルの大きさ、ハンドルとドア面との距離の違いなど多種多様のハンドル形状に対応して、ハンドルをホールドすることができ、極めて汎用性の高いハンドルロック装置になる。
【００３６】
錠１２は、クサビ１１を第一スリット２ｂ及び第二スリット２ｅに挿通したうで、下部１１ｂに穿設された穴１１ｄに錠１２の輪部を掛け、クサビ１１を本体２ｒから抜かれることを阻止し、ハンドルロック装置１のハンドルからの取り外しを制限する。錠１２は、カギ１２ａで施錠解除される。
【００３７】
ここでは、ハンドルが、図１４に示すように、Ｌ形状のレバー式でなく、筒形のノブ式の場合、挟持部とノブとの間に、クッション介在させ、挟持部と当接部の形状に依拠して、ハンドルの回動を阻止して、ドアの開放を規制する方法が採用できる。具体的には、挟持部に螺合するネジの螺合で、前記クッションを前記ノブに押し当てて前記ノブを挟持部で挟み、クッションの摩擦抵抗で、ノブに固定し、ノブ用の挟持部は、挟持部に接続して設けられた当接部のドア枠へ接触又はドア枠とドアの隙間への爪の嵌入で、ノブの回動を阻止し、ドアの開放を規制する。
【００３８】
なお、挟持部２は、ドアのハンドルに触れ、当接部３とともに、それらの形状に依拠して、ハンドルの回動を阻止する形状（接触部）であれば特に限定されない。実施例１の他、例えば、ハンドルに上面又は底面に沿う添え木が接触部で、当接部がドア枠に当接し、添え木と当接部を所定の角度で接続して、突っ張り棒方式で、ハンドルの回動を阻止する方式などであってもよい（図１５）。所定の角度で接続としては、実施例１のように直角に直接連設、また図１５に示す斜めの突っ張り棒９〜９ｂを介在するなどによる間接的な接続があり、接触部と当接部が直接又は間接的に連設、接続、連通、連結していることを意味する。接触部の接触とは、ハンドルを、挟持、包み、載置、支持、係止など、ハンドルと接触部が接触すること、さらに一体となり、接触部がハンドルに保持された状態を含む。
【００３９】
次に、図６〜図９を参照して、ドア３４の室内側の内ハンドル３５ｃへの取り付けについて説明する。なお、ここでは、ドア３４を便宜状、室内側と室外側に区別しているが、当該説明とは逆に取り付けられ、開閉するドアもあり、それらにも本発明は適用できる。
【００４０】
図６に示すように、本発明のハンドルロック装置１で、施錠機能なしのドア３４の室内側の内ハンドル３５ｃの回動を阻止し、ドア３４の開放を規制する方法について説明する。内ハンドル３５ｃは、図６（Ａ）に示すように略棒状で、（Ｂ）に示すように平面視Ｌ字で、ハンドルユニット３５の数ｍｍ厚のケース３５ｂから回動可能に突出している。ドア枠３２は、室内側に突出した内枠３２ａを備える。内枠３２ａの突出は、爪５ｂの利用なしに回動を阻止するにはやや不安な突出程度であった。隙間３１ａは、爪５ｂが挿入できる十分は幅である。
【００４１】
図６（Ｃ）に示すように、内ハンドル３５ｃ（点線）を挟持部２のスペース２ｎに収納し、クサビ１１を上面に位置する第一スリット２ｂから、下部１１ｂを先頭に挿入する。そうすると、図９のような位置に内ハンドル３５ｃが挟持部２内で固定され、ハンドルロック装置１が内枠３２ａと内ハンドル３５ｃとで位置固定される。なお、保護材２ｍの厚みを調節して、ドア３４の内面３４ａの窪み３４ｂに、ぐらつきなく、見栄えよく保護材２ｍが当接している。図１０においても同じ。
【００４２】
そして、図８、９に示すように、ハンドルロック装置１の下方で錠１２によって、クサビ１１が施錠されて挟持部２から抜けを防ぐとともに、クサビ１１の斜辺１１ｃで内ハンドル３５ｃを正面２ｃ側に押し付け、ハンドルロック装置１のぐらつき、抜け、それに伴う誤操作（ドア３４の開放）を防止している。
【００４３】
次に、図１０〜図１３を参照して、ドア３４の室外側の外ハンドル３５ｄへの取り付けについて説明する。
【００４４】
図１０に示すように、本発明のハンドルロック装置１で、施錠機能なしのドア３４の室外側の外ハンドル３５ｄの回動を阻止し、ドア３４の開放を規制する方法について説明する。外ハンドル３５ｄは、図１０（Ａ）に示すように、内ハンドル３５ｃと同形状である
【００４５】
ドア枠３２は、室外側に突出したストッパ３２ｃ備える。ストッパ３２ｃは、爪５ｂの利用を必要としない程度に十分に突出しており、室内側と異なりハンドルロック装置１の回転爪５を１８０°回転（図５）させて、外ハンドル３５ｄに装着した。
【００４６】
図１０（Ｃ）に示すように、外ハンドル３５ｄ（点線）を挟持部２のスペース２ｎに収納し、クサビ１１を上面に位置する第一スリット２ｂから、下部１１ｂを先頭に挿入する。そうすると、図１３のような位置に外ハンドル３５ｄが挟持部２内で固定され、ハンドルロック装置１がストッパ３２ｃと外ハンドル３５ｄとで位置固定される。
【００４７】
そして、図１２、１３に示すように、ハンドルロック装置１の下方で錠１２によって、クサビ１１が施錠されて挟持部２から抜けを防ぐとともに、クサビ１１の斜辺１１ｃで外ハンドル３５ｄを正面２ｃ側に押し付け、ハンドルロック装置１のぐらつき、抜け、それに伴う誤操作（ドア３４の開放）を防止している。内面３４ａ及び内ハンドル３５ｃと、外面３４ｃ及び外ハンドル３５ｄとでは、第一面２ａ、第二面３ｄとが上下反転して使用される。
【実施例２】
【００４８】
図１５（Ａ）に示すように、本発明であるハンドルロック装置１ａは、接触部６と、保持機構７と、当接部８と、突っ張り棒９からなり、ドア枠及びドアからなるドアユニットに着脱可能に取り付けられる。
【００４９】
接触部６は、ハンドルである外ハンドル３５ｄの上に載置される添え木６ａと、添え木６ａの側面に穿設され、保持機構７をスライド可能に保持する溝であるガイド６ｂとかなる。
【００５０】
保持機構７は、例えば、接触部６の添え木６ａに穿設されたガイド６ｂにスライド可能に取り付けた軸７ａと、軸７ａに回動可能に取り付け、外ハンドル３５ｄを中に位置させ、添え木６ａと外ハンドル３５ｄを一体に保持する環７ａと、添え木６ａに環７ａを位置固定するネジ７ｃとかなる。ネジ７ｃの挿抜で、保持機構７の位置固定と自由移動を切り替える。接触部６と外ハンドル３５ｄの連結を維持し、ハンドルロック装置１ａを脱落させないために保持機構７を備えることが望ましい。
【００５１】
当接部８は、ドア枠３２の外枠３２ｂとストッパ３２ｃの隙間３２ｄに爪を挿入して、ドア枠３２に嵌着している。突っ張り棒９は、接触部６と当接部８を所定の角度で接続する。
【実施例３】
【００５２】
図１５（Ｂ）に示すハンドルロック装置１ｂは、接触部６と、保持機構７と、当接部８ａと、２本の突っ張り棒９ａ、９ｂからなる。
【００５３】
接触部６は、添え木６ａが外ハンドル３５ｄの下側に接触する点において実施例２と異なる、保持機構７は、（Ａ）と同じであるが、左端に寄せ、軸７ｂを中心に環７ｂを上下回動させたうえで、ガイド６ｂをスライドさせ、中に外ハンドル３５ｄを位置させ、接触部６を外ハンドル３５ｄに一体に保持させる。さらに、添え木６ａと外ハンドル３５ｄの一体化を確保するため、添え木６ａの側面に回動可能に設けたフック７ｄを外ハンドル３５ｄに掛けるとよい。
【００５４】
当接部８ａは、ドア枠３２の外枠３２ｂに接触する板である。突っ張り棒９ａ、９ｂは、接触部６と当接部８ａを所定の角度で接続する。回動に対して、突っ張り棒の強度が必要な場合には、（Ｂ）のように、複数本の突っ張り棒９ａ、９ｂを採用するとよい。
【実施例４】
【００５５】
図１５（Ｃ）に示すハンドルロック装置１ｃは、接触部６と、保持機構７と、当接部８ｂと、上下２本の突っ張り棒９、９ｂからなる。接触部６は、添え木６ａが外ハンドル３５ｄの下側に接触する。保持機構７は、（Ｂ）と同じである。
【００５６】
当接部８ｂは、ドア枠３２の外枠３２ｂに接触する板であり、接触部６の長手方向と直交する方向に正面Ｔ字に連設する。突っ張り棒９、９ｂは、接触部６と当接部８ａを上下から所定の角度で接続する。正面Ｔ字でなく、図１５（Ａ）（Ｂ）において、突っ張り棒を介さず、直接接触部６と当接部が連設するＬ字であってもよい。
【００５７】
このようにしてなるハンドルロック装置１ａ、１ｂ、ｃは、接触部６と当接部の形状に依拠して、外ハンドル３５ｄの回動を阻止して、ドアの開放を規制する。内ハンドル３５ｃに用いる場合には、（Ａ）、（Ｂ）は、左右反転させればよい。（Ｃ）であれば、環７ｂを上限回動させれば使用できる。
【符号の説明】
【００５８】
１      ハンドルロック装置
１ａ    ハンドルロック装置
１ｂ    ハンドルロック装置
１ｃ    ハンドルロック装置
２      挟持部
２ａ    第一面
２ｂ    第一スリット
２ｃ    正面
２ｄ    第二面
２ｅ    第二スリット
２ｆ    側面
２ｇ    前脚
２ｈ    後脚
２ｉ    第一切欠
２ｋ    第二切欠
２ｍ    保護材
２ｎ    スペース
２ｐ    前クッション
２ｑ    後クッション
２ｒ    本体
３      当接部
４      あて木
４ａ    第一補強板
４ｂ    第二補強板
４ｃ    保護材
５      回転爪
５ａ    プレート
５ｂ    爪
５ｃ    ネジ
５ｄ    保護材
６      接触部
６ａ    添え木
６ｂ    ガイド
７      保持機構
７ａ    軸
７ｂ    環
７ｃ    ネジ
７ｄ    フック
８      当接部
８ａ    当接部
８ｂ    当接部
９      突っ張り棒
９ａ    突っ張り棒
９ｂ    突っ張り棒
１１    クサビ
１１ａ  上部
１１ｂ  下部
１１ｃ  斜辺
１１ｄ  穴
１１ｅ  凸部
１２    錠
１２ａ  カギ
２１    壁
２２    床
３１    ドアユニット
３１ａ  隙間
３１ｂ  蝶番
３２    ドア枠
３２ａ  内枠
３２ｂ  外枠
３２ｃ  ストッパ
３２ｄ  隙間
３３    ストライク
３４    ドア
３４ａ  内面
３４ｂ  窪み
３４ｃ  外面
３４ｄ  窪み
３５    ハンドルユニット
３５ａ  ラッチ
３５ｂ  ケース
３５ｃ  内ハンドル
３５ｄ  外ハンドル
【図１】
2018071276.tif 000003
【図２】
2018071276.tif 000004
【図３】
2018071276.tif 000005
【図４】
2018071276.tif 000006
【図５】
2018071276.tif 000007
【図６】
2018071276.tif 000008
【図７】
2018071276.tif 000009
【図８】
2018071276.tif 000010
【図９】
2018071276.tif 000011
【図１０】
2018071276.tif 000012
【図１１】
2018071276.tif 000013
【図１２】
2018071276.tif 000014
【図１３】
2018071276.tif 000015
【図１４】
2018071276.tif 000016
【図１５】
2018071276.tif 000017
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
ドア枠及びドアからなるドアユニットに着脱可能に取り付けられるハンドルロック装置であって、
前記ドアのハンドルに触れる接触部と、
前記ハンドルの開放時の回転方向側の前記接触部に接続して一体に設けられ、前記ドア枠に接触する当接部（ただし「ドア枠に貼着又は吸着するフック部」を除く）とからなり、
前記接触部と当接部の突っ張り形状に依拠して、前記ハンドルの回動を阻止して、前記ドアの開放を規制することを特徴とするハンドルロック装置。
【請求項２】
ドア枠及びドアからなるドアユニットに着脱可能に取り付けられるハンドルロック装置であって、
前記ドアのハンドルに触れる接触部と、
前記ハンドルの開放時の回転方向側の前記接触部に接続して一体に設けられるあて木（ただし「ドア枠に貼着又は吸着するフック部」を除く）と、
前記あて木に備えられ、前記ドア枠とドアの隙間に挿抜可能な爪とからなり、
前記接触部とあて木の突っ張り形状に依拠して、前記ハンドルの回動を阻止して、前記ドアの開放を規制することを特徴とするハンドルロック装置。
【請求項３】
前記接触部を、前記ハンドルを挟む又は包む挟持部としたことを特徴とする請求項２に記載のハンドルロック装置。
【請求項４】
前記挟持部の対向する第一、第二面に、それぞれ穿設された第一、第二スリットを備え、前記第一、第二スリットにクサビを挿通させ、前記クサビで、前記ハンドルを前記挟持部に押し当てて、前記挟持部を前記ハンドルに着脱可能に固定することを特徴とする請求項３に記載のハンドルロック装置。
【請求項５】
前記クサビの先端に穴が穿設され、前記穴に錠を掛け、前記クサビの第一、第スリットからの抜けを制限するとともに、前記挟持部を前記ハンドルへ固定したことを特徴とする請求項４に記載のハンドルロック装置。
【請求項６】
ドア枠及びドアからなるドアユニットに着脱可能に取り付けられるハンドルロック装置であって、
前記ドアの筒状のノブを挟む挟持部と、前記挟持部と前記ノブとの間に介在するクッションと、前記ハンドルの開放時の回転方向側の前記挟持部に接続して一体に設けられ、前記ドア枠に接触する当接部（ただし「ドア枠に貼着又は吸着するフック部」を除く）とからなり、
前記挟持部と当接部の突っ張り形状に依拠して、前記ハンドルの回動を阻止して、前記ドアの開放を規制することを特徴とするハンドルロック装置。
【手続補正書】
【提出日】平成29年4月29日(2017.4.29)
【手続補正１】
【補正対象書類名】特許請求の範囲
【補正対象項目名】全文
【補正方法】変更
【補正の内容】
【特許請求の範囲】
【請求項１】
ストッパを備えるドア枠及び手で握るレバー部を有するハンドルを備えたドアからなるドアユニットの前記ストッパ側のハンドルのレバー部に着脱可能に取り付けられるハンドルロック装置であって、
前記ドアのストッパ側のハンドルの前記レバー部の上側又は下側に触れて設置される接触部と、
前記ハンドルの開放時の回転方向側の前記接触部に接続して一体に設けられ、前記ドア枠に接触する当接部（ただし「ドア枠に貼着又は吸着するフック部」及び「鍵孔を閉塞するプレート」を除く）とからなり、
前記接触部と当接部の突っ張り形状に依拠して、前記ハンドルの回動を阻止して、前記ドアの開放を規制することを特徴とするハンドルロック装置。
【請求項２】
ドア枠及びドアからなるドアユニットに着脱可能に取り付けられるハンドルロック装置であって、
前記ドアのハンドルに触れる接触部と、
前記ハンドルの開放時の回転方向側の前記接触部に接続して一体に設けられるあて木（ただし「ドア枠に貼着又は吸着するフック部」を除く）と、
前記あて木に備えられ、前記ドア枠とドアの隙間に挿抜可能な爪とからなり、
前記接触部とあて木の突っ張り形状に依拠して、前記ハンドルの回動を阻止して、前記ドアの開放を規制することを特徴とするハンドルロック装置。
【請求項３】
前記接触部を、前記ハンドルを挟む又は包む挟持部としたことを特徴とする請求項２に記載のハンドルロック装置。
【請求項４】
前記挟持部の対向する第一、第二面に、それぞれ穿設された第一、第二スリットを備え、前記第一、第二スリットにクサビを挿通させ、前記クサビで、前記ハンドルを前記挟持部に押し当てて、前記挟持部を前記ハンドルに着脱可能に固定することを特徴とする請求項３に記載のハンドルロック装置。
【請求項５】
前記クサビの先端に穴が穿設され、前記穴に錠を掛け、前記クサビの第一、第スリットからの抜けを制限するとともに、前記挟持部を前記ハンドルへ固定したことを特徴とする請求項４に記載のハンドルロック装置。
【請求項６】
ドア枠及び手で握るレバー部を有するハンドルを備えたドアからなるドアユニットに着脱可能に取り付けられるハンドルロック装置であって、
前記ドアのハンドルの前記レバー部の上側又は下側に触れて設置される接触部と、
前記ハンドルの開放時の回転方向側の前記接触部に接続して一体に設けられ、前記ドア枠に接触する当接部（ただし「ドア枠に貼着又は吸着するフック部」を除く）とからなり、
前記接触部と当接部の突っ張り形状に依拠して、前記ハンドルの回動を阻止して、前記ドアの開放を規制することを特徴とするハンドルロック装置。